(57)【要約】      （修正有）【課題】クッション性を高めることができる靴底及び靴を提供する。【解決手段】本実施形態に係る靴底は、足底を支持する靴底基部と、靴底基部の踵近傍を支持する踵支持部２０とを含むよう構成され、踵支持部２０の幅方向の断面形状が、靴底基部の方向に突出することにより上に凸の形状をしている。また、靴底は、踵支持部２０と対向する位置において、靴底基部の幅方向の断面形状が、踵支持部２０の方向に窪むことにより凹の形状をしている。また、踵支持部２０は、上に凸の形状を包含する周縁領域を有し、踵支持部２０の周縁領域を除いた領域の高さは、該踵支持部２０の周縁領域の高さの１．５倍〜２倍の高さとなっている。また、靴底は、靴底基部の土踏まず近傍を支持する土踏まず支持部をさらに有し、踵支持部２０は、前記土踏まず支持部より弾力性のある材料で構成されている。【選択図】図１
2016097171.tif 000002
【特許請求の範囲】
【請求項１】
足底を支持する靴底基部と、
前記靴底基部の踵近傍を支持する踵支持部と
を有し、
前記踵支持部の幅方向の断面形状が、前記靴底基部の方向に突出することにより上に凸の形状を有してなる
靴底。
【請求項２】
前記踵支持部と対向する位置において、
前記靴底基部の幅方向の断面形状が、前記踵支持部の方向に窪むことにより凹の形状を有してなる
請求項１に記載の靴底。
【請求項３】
前記踵支持部は、上に凸の形状を包含する周縁領域
を有し、
前記踵支持部の周縁領域を除いた領域の高さは、該踵支持部の周縁領域の高さの１．５倍〜２倍の高さを有する
請求項２に記載の靴底。
【請求項４】
前記靴底基部の土踏まず近傍を支持する土踏まず支持部
をさらに有し、
前記踵支持部は、前記土踏まず支持部より柔らかい材料で構成される
請求項１に記載の靴底。
【請求項５】
足底を支持する靴底基部と、
前記靴底基部の踵近傍を支持する踵支持部と
を有し、
前記踵支持部及び前記靴底基部を組み合せた場合の幅方向の断面形状のうち、少なくとも一部の該踵支持部が該靴底基部の方向に突出する
靴。
【請求項６】
前記靴底基部に重ねて設置され、他の領域に対する踵の高さの比率が異なる複数の中敷き
をさらに有する
請求項５に記載の靴。
【発明の詳細な説明】
【技術分野】
【０００１】
本発明は、靴底及び靴に関するものである。
【背景技術】
【０００２】
例えば、特許文献１では、主として土踏まず近傍を下側から支持するための土踏まず支持部と、主として爪先近傍を下側から支持するための爪先支持部と、主として踵近傍を下側から支持するための踵支持部とからなる靴底であって、土踏まず支持部の下面における爪先部から土踏まず部に至るまでを下り傾斜として、土踏まず支持部の下面における土踏まず部から踵部に至るまでを上り傾斜とし、土踏まず支持部の土踏まず部近傍に肉厚部を形成して該土踏まず部の最下面を平坦に形成するとともに、爪先支持部における最も厚い部分の厚さを１０〜２０ｍｍとして、踵支持部における最も厚い部分の厚さを１５〜２５ｍｍとし、土踏まず支持部をアスカーＣ硬度が５５〜９５度の素材によって形成し、爪先支持部及び踵支持部をアスカーＣ硬度が１０〜５０度の素材によって形成することにより、砂浜歩行感覚を得ることができるようしたことを特徴とする靴底として開示されている。
【先行技術文献】
【特許文献】
【０００３】
【特許文献１】特許第４６４７３２２号
【発明の概要】
【発明が解決しようとする課題】
【０００４】
本発明は、クッション性を高めることができる靴底及び靴を提供することを目的とする。
【課題を解決するための手段】
【０００５】
本発明に係る靴底は、足底を支持する靴底基部と、前記靴底基部の踵近傍を支持する踵支持部とを有し、前記踵支持部の幅方向の断面形状が、前記靴底基部の方向に突出することにより上に凸の形状を有してなる。好適には、さらに、前記踵支持部の前後方向の断面形状が、前記靴底基部の方向に突出することにより上に凸の形状を有してなる。
【０００６】
好適には、前記踵支持部と対向する位置において、前記靴底基部の幅方向の断面形状が、前記踵支持部の方向に窪むことにより凹の形状を有してなる。
【０００７】
好適には、前記踵支持部は、上に凸の形状を包含する周縁領域を有し、前記踵支持部の周縁領域を除いた領域の高さは、該踵支持部の周縁領域の高さの１．５倍〜２倍の高さを有する。
【０００８】
好適には、前記靴底基部の土踏まず近傍を支持する土踏まず支持部をさらに有し、前記踵支持部は、前記土踏まず支持部より弾力性のある材料で構成される。
【０００９】
本発明に係る靴は、足底を支持する靴底基部と、前記靴底基部の踵近傍を支持する踵支持部とを有し、前記踵支持部及び前記靴底基部を組み合せた場合の幅方向の断面形状のうち、少なくとも一部の該踵支持部が該靴底基部の方向に突出する。
【００１０】
好適には、前記靴底基部に重ねて設置され、他の領域に対する踵の高さの比率が異なる複数の中敷きをさらに有する。
【発明の効果】
【００１１】
本発明によれば、クッション性を高めることができる。
【図面の簡単な説明】
【００１２】
【図１】本実施形態に係る靴１を模式的に例示する組立図である。
【図２】本実施形態に係る靴１の構成を例示する分解図である。
【図３】ミッドソール２の構成を例示する図である。
【図４】踵支持部２０の構成を例示する図である。
【図５】中敷き４０を例示する図である。
【図６】ミッドソール２及び踵支持部２０の組合時の断面形状を説明する図である。
【発明を実施するための形態】
【００１３】
本実施形態に係る背景を説明する。
靴は、例えば、概ね、足全体を包み込むアッパーと、靴底部分であるソールとで構成されている。また、ソールは、着用者の足底を支持し弾性力により衝撃から足を保護する中底（ミッドソール）と、地面を捉えるグリップ性を備えるアウトソールとで構成されている。しかし、着用者によっては、ソールのクッション性不足による足や関節の痛みが生じる虞があった。
一方、クッション性不足を補うために、ソールは、ミッドソールに、着用者の爪先近傍を支持する爪先支持部材と、着用者の踵近傍を支持する踵支持部材とを別途構成することにより、爪先近傍と踵近傍とのクッション性を補っていた。しかし、よりクッション性を得るために、着用者の使いやすい靴の形状や弾力性を逸脱して爪先支持部材と踵支持部材との構成を変更することは難しい。
【００１４】
そこで、本実施形態に係る靴底及び靴は、ミッドソールと踵支持部材とを組み合わせた場合の断面形状のうち、踵支持部材を部分的にミッドソールの方向に突出させる。
本実施形態に係る靴底は、足底を支持する靴底基部と、靴底基部の踵近傍を支持する踵支持部とを含むよう構成され、踵支持部の幅方向の断面形状が、靴底基部の方向に突出することにより上に凸の形状をしている。また、靴底は、踵支持部と対向する位置において、靴底基部の幅方向の断面形状が、踵支持部の方向に窪むことにより凹の形状をしている。また、踵支持部は、上に凸の形状を包含する周縁領域を有し、踵支持部の周縁領域を除いた領域の高さは、該踵支持部の周縁領域の高さの１．５倍〜２倍の高さとなっている。また、靴底は、靴底基部の土踏まず近傍を支持する土踏まず支持部をさらに有し、踵支持部は、前記土踏まず支持部より弾力性のある材料で構成されている。
このように、靴底は、踵支持部を靴底基部の方向に凸の形状で突出させ、さらに突出する部分を包含する周縁領域を設けるよう構成することにより、クッション性をさらに増加させることが期待できる。また、靴底は、踵支持部と対向する位置における靴底基部の幅方向の断面形状を踵支持部の方向に窪むよう形状することにより、踵支持部の凸の形状に突出する部分の弾力性をより着用者に伝達することが期待できる。
【００１５】
また、本実施形態に係る靴は、足底を支持する靴底基部と、靴底基部の踵近傍を支持する踵支持部とを含むよう構成され、踵支持部及び前記靴底基部を組み合せた場合の幅方向の断面形状のうち、少なくとも一部の踵支持部が靴底基部の方向に突出している。また、靴底基部に重ねて設置され、他の領域に対する踵の高さの比率が異なる複数の中敷きをさらに有する。
このように、靴は、少なくとも一部の踵支持部が靴底基部の方向に突出するよう構成することにより、踵支持部の突出する部分の弾力性をより着用者に伝達することができため、クッション性をより増加させることができる。
また、靴は、他の領域より踵の高さが異なる中敷きを靴に設置することにより、踵部分のクッション性の調整を行うことができる。
【００１６】
次に、本実施形態に係る構成を説明する。
以下、本発明に係る実施形態の構成を、図面を参照して説明する。ただし、本発明の範囲は、図示例に限定されるものではない。具体的には、本実施形態に係る靴底及び靴は、必ずしも連続面状の甲被覆部を有する靴、又は、該靴に備えられることを目的とした靴底だけに限定されない。例えば、サンダルのように、紐状、帯状、又は、網状の甲被覆部を有する履物、又は、該履物に備えられることを目的とした靴底であっても、本発明の技術的範囲に含まれるものとする。また、足袋や草履のように、指別れしている履物、又は、該履物に備えることを目的とした靴底であっても、技術的範囲に含まれる。
また、本実施形態では、説明の便宜上、左足用の靴底又は靴を中心に説明するが、左足用と右足用は略左右対称であり、右足用においても、左足用と同様の構成を採用することができるものとする。
【００１７】
［靴１］
図１は、本実施形態に係る靴１を模式的に例示する組立図である。
図１に例示するように、靴１は、概ね、アッパー（ｕｐｐｅｒ）と、ソール（ｓｏｌｅ）とで構成されている。
アッパーは、靴の形状において、靴底（ソール）を除いた部分であり、足の甲を覆う部分である。アッパーは、外部の気象の変化（暑さ、寒さ、雨など）、及び、衝撃からの足の保護や、歩行時の足と靴との隙間を無くすように、ソール側に絶えず足を密着させる。また、アッパーは、足の生理条件を考慮した素材を選択する必要があり、湿気を吸収・軽減する素材が好適である。また、アッパーは、疲労などにより足の体積変化を考慮した伸縮性のある素材が好適である。
【００１８】
ソールは、靴の形状において、足の甲を覆う部分（アッパー）を除いた部分であり、靴底部分である。ソールは、路面の凹凸などによる衝撃、及び、釘やガラスなどの危害より足を保護する。ソールは、歩行をスムーズに行えるよう屈曲性に優れ、消耗しにくく、かつ、滑りにくい素材で構成されることが好適であり、例えば、弾性部材で構成される。
ソールは、弾性部材により構成され、具体的には、合成ゴム、天然ゴム、柔軟樹脂等を用いることができる。なかでも、ソールは、エチレン−酢酸ビニル共重合体（ＥＶＡ）等の熱可塑性柔軟樹脂やポリウレタン系熱可塑性エラストマー（ＴＰＵ）等の弾性部材をソールの素材として用いると好適である。ソールは、靴底に使用できる素材ならば、これらに限定せず、適宜に材料を選択することができる。
【００１９】
図２は、本実施形態に係る靴１の構成を例示する分解図である。
図１及び図２に例示するように、靴１に含まれるソールは、ミッドソール２、爪先支持部１０、踵支持部２０、及び、アウトソール３０により構成される。靴１は、ミッドソール２、爪先支持部１０、踵支持部２０、及び、アウトソール３０の各構成を個別に形成されており、ミッドソール２の下面側（ミッドソール下端面部８）に、爪先支持部１０、踵支持部２０、及び、アウトソール３０が接着されている。
【００２０】
［ミッドソール２］
ミッドソール２は、本発明に係る靴底基部の一例である。
図１及び図２に例示するように、ミッドソール２は、靴１の基礎となる部材であり、少なくとも、着用者の足底を支える。そのため、ミッドソール２は、安定性、クッション性、及び、衝撃吸収性を必要とされる。
【００２１】
図３は、ミッドソール２の構成を例示する図である。
図３（ａ）は、ミッドソール２の斜視図である。
図３（ａ）に例示するように、ミッドソール２は、着用者の足を支えるために、緩やかな略Ｓ字形状をなす面（ミッドソール上端面部６）を有する。具体的には、ミッドソール上端面部６は、ミッドソール爪先部６ａ、ミッドソール土踏まず部６ｂ、及び、ミッドソール踵部６ｃにより構成される。
ミッドソール２は、ミッドソール前端部４ａから着用者の爪先近傍を支えるミッドソール爪先部６ａ、及び、足の土踏まず近傍を支えるミッドソール土踏まず部６ｂにかけて連続する緩やかな略下り傾斜面に形成される。また、ミッドソール２は、着用者の土踏まず近傍を支持する、ミッドソール土踏まず部６ｂ近傍にて略下り傾斜面から略上り傾斜面に転じるよう形成される。
ミッドソール２は、ミッドソール前端部４ａから、ミッドソール土踏まず部６ｂ近傍にかけての連続する緩やかな傾斜面により、着用者の足の爪先近傍から、土踏まず近傍にかけての足のアーチ形状の崩れを軽減し、かつ、アーチ形状を保つ補助を行うことができる。
【００２２】
また、ミッドソール２は、ミッドソール土踏まず部６ｂから、着用者の足の踵近傍を支えるミッドソール踵部６ｃ、及び、ミッドソール後端部４ｂにかけて、連続する緩やかな略上り傾斜面に形成される。また、ミッドソール２は、ミッドソール踵部６ｃ近傍からミッドソール後端部４ｂにかけて略平坦面となるよう形成される。
ミッドソール２は、ミッドソール土踏まず部６ｂ近傍から、ミッドソール後端部４ｂにかけての連続する緩やかな略上り傾斜面により、着用者の足の土踏まず近傍から、踵近傍にかけての足の形状の崩れを軽減し、アーチ形状を保つ補助を行うことができる。
【００２３】
したがって、ミッドソール２は、ミッドソール上端面部６により形成される連続する緩やかな傾斜面によって、着用者の足を正しいアーチ形状になるよう補助することができる。また、ミッドソール２は、着用者の足を正しいアーチ形状となるよう補助することにより、足に備わるクッション性を補正することができる。すなわち、ミッドソール２は、着用者の足を正しいアーチ形状に保つことにより、関節などにかかる負担を軽減することができる。
【００２４】
図３（ｂ）は、ミッドソール２の底面図である。
図３（ａ）及び図３（ｂ）に例示するように、ミッドソール２は、ミッドソール上端面部６の裏面側（アウトソール３０に側）に、ミッドソール下端面部８を有する。ミッドソール下端面部８は、ミッドソール爪先部８ａ、ミッドソール土踏まず部８ｂ、及び、ミッドソール踵部８ｃにより構成される。
ミッドソール２は、後述する爪先支持部１０の形状に当て嵌まる形状をなすミッドソール爪先部８ａを具備する。
ミッドソール２は、ミッドソール前端部４ａからミッドソール爪先部８ａを通過し、ミッドソール土踏まず部８ｂにかけて、緩やかな略下り傾斜面に形成される。
【００２５】
ミッドソール土踏まず部８ｂは、本発明に係る土踏まず支持部の一例である。
ミッドソール土踏まず部８ｂは、着用者の足底の土踏まず近傍を支持する。ミッドソール土踏まず部８ｂは、ミッドソール爪先部８ａ、及び、ミッドソール踵部８ｃより下方に突出して構成される。また、図３（ｂ）に例示するように、ミッドソール土踏まず部８ｂは、下方端面を略扇形状に構成される。具体的には、ミッドソール土踏まず部８ｂは、拇趾の位置する内曲線の長さより小趾の位置する外曲線の長さを長くなるように略扇形状を形成される。ミッドソール土踏まず部８ｂの下方端面は、着用者の足の拇趾側と、足の小趾側とでの土踏まずのアーチの高さや範囲が異なるために、略扇形状に形成される。
また、ミッドソール土踏まず部８ｂは、下方端面を略平坦に構成される。このため、ミッドソール土踏まず部８ｂは、着用者の体重を支えることができる。ミッドソール土踏まず部８ｂは、爪先支持部１０、及び、踵支持部２０より硬質な素材で構成される。換言すると、爪先支持部１０、及び、踵支持部２０は、ミッドソール２よりも柔らかく、かつ、弾性が高い部材である。ミッドソール土踏まず部８ｂは、着用者が体重を踵側から爪先側に移動する場合に、支障なく移動できるよう支点として機能する。そのため、着用者は、踵側から爪先側に移動する場合に、自然に無理なく体重移動を行うことができる。ミッドソール土踏まず部８ｂは、着用者に合わせて、形状及び硬度を適宜に変更することができる。
ここで、図２及び図３に例示するように、本実施形態のミッドソール２は、土踏まずを支持するミッドソール土踏まず部８ｂと一体となる構成を例示しているが、これに限定するものではなく、ミッドソール２は、ミッドソール土踏まず部８ｂと別に構成し組み合せてもよい。
【００２６】
図３（ｃ）は、ミッドソール２のＡ−Ａ切断部端面図である。
図３に例示するように、ミッドソール２は、後述する踵支持部２０の形状に当て嵌まる形状をするミッドソール踵部８ｃを具備する。また、ミッドソール２は、ミッドソール踵部８ｃの周縁に周縁部８ｄを有する。ミッドソール２は、周縁部８ｄからミッドソール後端部４ｂにかけて、緩やかな傾斜面に形成される。
また、図３（ｂ）及び図３（ｃ）に例示するように、ミッドソール２は、周縁部８ｄの内縁からミッドソール踵部８ｃに対して、例えば、略半球状（略ドーム状）となるように窪んで凹の形状となるよう加工される。ミッドソール２は、ミッドソール踵部８ｃと踵支持部上面部２０ｃとが嵌り合い、周縁部８ｄと周縁部２０ｅとが嵌り合うよう構成されている。
【００２７】
［爪先支持部１０］
図１及び図２に例示するように、爪先支持部１０は、着用者の爪先近傍を支持する。爪先支持部１０は、着用者の爪先近傍を支持できる形状であれば適宜に変更することができる。図１に例示するように、爪先支持部１０は、爪先支持部上面部１０ｃをミッドソール爪先部８ａに嵌まる形状に形成される。また、爪先支持部１０は、ミッドソール土踏まず部８ｂを含むミッドソール２よりも柔らかく、かつ、弾性の高い部材である。
また、図２に例示するように、爪先支持部１０は、爪先支持部前端部１０ａから爪先支持部後端部１０ｂにかけて、湾曲するよう形成される。また、爪先支持部１０は、ミッドソール２と組み合わせた場合に、爪先支持部下面部１０ｄと、ミッドソール土踏まず部８ｂとが滑らかに連続するように形成される。爪先支持部１０は、ミッドソール土踏まず部８ｂと滑らかに連続するよう爪先支持部下面部１０ｄを形成することにより、着用者の土踏まず近傍から爪先側にかけての体重移動時の衝撃を軽減させ、爪先の安定をはかることができる。
【００２８】
［踵支持部２０］
図４は、踵支持部２０の構成を例示する図である。
図４（ａ）は、踵支持部２０の斜視図であり、図４（ｂ）は、踵支持部２０の左側面図である。また、図４（ｃ）は、踵支持部２０の平面図であり、図４（ｄ）は、踵支持部２０の右側面図である。
【００２９】
踵支持部２０は、本発明に係る踵支持部の一例である。
図１及び図２に例示するように、踵支持部２０は、ミッドソール２のうち、ミッドソール踵部８ｃ及び、周縁部８ｄとなる位置に取り付けられている。踵支持部２０は、ミッドソール土踏まず部８ｂを含むミッドソール２よりも柔らかく、かつ、弾性の高い部材である。
また、図４に例示するように、踵支持部２０は、踵支持部前端部２０ａ、踵支持部後端部２０ｂ、踵支持部上面部２０ｃ、踵支持部下面部２０ｄ、及び、周縁部２０ｅを備える。
踵支持部２０は、踵支持部前端部２０ａから踵支持部後端部２０ｂにかけて、湾曲して形成される。踵支持部２０は、踵支持部前端部２０ａから踵支持部下面部２０ｄを経て踵支持部後端部２０ｂにかけて滑らかに形成される。
【００３０】
踵支持部２０は、踵支持部上面部２０ｃが凸の形状に突出して形成されている。具体的には、踵支持部２０は、略半球状（略ドーム状）に突出して形成されている。踵支持部２０は、略半球状に突出しているため、踵支持部前端部２０ａから踵支持部後端部２０ｂの方向だけでなく、幅方向も突出するよう形成されている。
また、踵支持部２０は、踵支持部下面部２０ｄから周縁部２０ｅまでの高さより踵支持部下面部２０ｄから踵支持部上面部２０ｃまでの高さの方が約１.５倍〜約２倍の高さとなっている。具体的には、踵支持部２０は、踵支持部下面部２０ｄから周縁部２０ｅまでの高さのうち、最も高い部分の高さが１．８ｃｍであり、踵支持部下面部２０ｄから踵支持部上面部２０ｃまでの高さのうち、最も高い部分の高さが２．８ｃｍとなっている。
このように踵支持部２０は、踵支持部上面部２０ｃを幅方向にも突出させる構成にすることにより、どの方向からの圧力が加えられても受けることができるため、踵近傍のクッション性をさらに増加させることができる。
【００３１】
また、踵支持部２０は、踵支持部上面部２０ｃを包含するように周縁部２０ｅを配置されている。周縁部２０ｅは、本発明に係る周縁領域の一例である。
周縁部２０ｅは、例えば、５ｍｍ〜１５ｍｍの幅を有する。周縁部２０ｅは、周縁部８ｄと当て嵌まる形状であれば、形状を適宜に変更することができる。
このように、踵支持部２０は、踵支持部上面部２０ｃを包含するよう周縁部２０ｅを配置されることにより、着用者の踵近傍より加えられる圧力を踵支持部上面部２０ｃだけでなく、周縁部２０ｅでも受けることができる。また、柔らかく、かつ、中央部で盛り上がった踵支持部２０が、これもよりも硬いミッドソール２と組み合わされることにより、踵中央部における硬度が踵周縁部よりも低くなる。これにより、踵中央部では十分な弾力性を確保しつつ、踵周縁部に安定性を持たせることができ、耐久性の向上と歩行安定性の確保が期待できる。
【００３２】
［アウトソール３０］
図１及び図２に例示するように、アウトソール３０は、靴底部の床面に接する部分である。アウトソール３０は、本底、または、表底とも呼ばれる。アウトソール３０は、例えば、弾性素材で構成され、具体的には、合成ゴム、革、ウレタン、ウッド、コルク、又は、ジュート等である。
また、アウトソール３０は、例えば、シート状に形成される。本実施形態に係るアウトソール３０は、ミッドソール爪先部８ａに爪先支持部１０を、ミッドソール踵部８ｃに踵支持部２０を取り付けた状態で、ミッドソール２のミッドソール前端部４ａからミッドソール後端部４ｂにかかるように取り付けられている。
【００３３】
このように、靴１は、ソールをミッドソール２、爪先支持部１０、踵支持部２０、及び、アウトソール３０により構成されている。
【００３４】
［中敷き４０］
図５は、中敷き４０を例示する図である。
図５（ａ）は、中敷き４０を例示する斜視図であり、図５（ｂ）は、中敷き４０ａを例示する図である。また、図５（ｃ）は、中敷き４０ｂを例示する図である。
中敷き４０は、本発明に係る中敷きの一例である。
図５（ａ）に例示するように、中敷き４０は、シート状に構成されている。中敷き４０は、足底に接する部分を有し、靴の中に設置する敷物である。
中敷き４０は、インソール、または、インナーソールとも呼ばれる。また、中敷き４０は、医学的には、例えば、足底板、足底挿板、または、矯正中敷とも呼ばれる。
本実施形態では、中敷き４０は、取外し可能であり、靴１に挿入するものを例示する。また、中敷き４０は、凹凸形状のないフラットインソールの場合について説明するが、これに限定されるものではなく、凹凸形状のあるフットベッドインソールの場合でもよい。また、中敷き４０は、長さを変更することもできる。
また、中敷き４０は、例えば、合成樹脂素材、合成繊維素材、革素材、ポリウレタン素材、又は、活性炭素材で構成される。中敷き４０は、医療用として、足の疾患や変形の治療、または、矯正を目的とするものもある。この場合、中敷き４０は、医療用の場合、例えば、コルクを用いられる。
また、中敷き４０は、靴のサイズを調整するものとして使用されているが、それに限定するものではなく、例えば、足裏への負担や踵への衝撃を軽減する衝撃吸収用、足首を引き締めるヒールアップ用、外反母趾対策用、靴内の通気性を良くする足の蒸れ対策や消臭・脱臭用、膝や腰の痛みを軽減するバランス改善用、運動時の足裏にかかる負担や衝撃を和らげるスポーツ用、Ｏ脚・Ｘ脚症状を予防するＯ脚・Ｘ脚対策用、または、足の冷えを防ぐ防寒用と様々なものに応用可能である。
【００３５】
図５（ｂ）及び図５（ｃ）に例示するように、中敷き４０は、ミッドソール２のミッドソール上端面部６に相当する形状に構成されている。また、中敷き４０は、他の領域に対する踵の高さの比率が異なるよう構成されている。
まず、図５（ｂ）に例示するように、中敷き４０ａは、図５（ｃ）に例示する中敷き４０ｂより、踵近傍の高さを抑えて構成されている。中敷き４０ａは、踵近傍の高さを抑えることで、踵支持部２０に圧力を加えやすくすることができる。よって、着用者は、中敷き４０ａを靴１に敷くことにより踵近傍の適度な沈み込みを体感することができる。また、着用者は、踵近傍の比較的深い沈み込みを体感することにより、通常の歩行時よりも、踵側から爪先側に体重移動を行なうためにより大きな筋力を使用することになるため、着用者の足に適度な負荷を加えることができる。
次に、図５（ｃ）に例示するように、中敷き４０ｂは、図５（ｂ）に例示する中敷き４０ａより、踵近傍の高さを高く構成されている。中敷き４０ｂは、踵近傍の高さを高くすることにより、踵支持部２０に加える圧力を軽減し弾力性を制限する。中敷き４０ｂは、踵支持部２０の弾力性を制限することにより、踵近傍の適度な沈み込みを防ぐことができる。よって、着用者は、中敷き４０ｂを靴１に敷くことにより、中敷き４０ａより踵が沈み込まないため、踵側から爪先側に体重移動を円滑に行なうことができる。そのため、中敷き４０ｂは、中敷き４０ａに比べて、着用者の足の筋力に負荷を加えることなく軽快に歩行を行うことができる。
中敷き４０は、踵支持部２０の弾力性に合わせて適宜に踵近傍の高さを調節することができる。
【００３６】
図６は、ミッドソール２及び踵支持部２０の組合時の断面形状を説明する図である。
図６（ａ）は、ミッドソール２及び踵支持部２０を組合図であり、図６（ｂ）は、ミッドソール２及び踵支持部２０の組合時のＢ−Ｂ切断部端面である。
図６（ａ）に例示するように、また、踵支持部２０は、踵支持部上面部２０ｃ及び周縁部２０ｅと、ミッドソール２のミッドソール踵部８ｃ及び周縁部８ｄとが接触するようミッドソール２に取り付けられている。踵支持部２０は、ミッドソール２と組み合わせた場合に、踵支持部前端部２０ａ、踵支持部後端部２０ｂ、及び、踵支持部下面部２０ｄが、ミッドソール土踏まず部８ｂ及びミッドソール後端部４ｂと滑らかに連続するように形成される。踵支持部２０は、滑らかに連続するように踵支持部下面部２０ｄを形成することにより、着用者の踵側から土踏まずにかけての体重移動時の衝撃を軽減させる。
図６（ｂ）に例示するように、踵支持部２０は、踵支持部上面部２０ｃをミッドソール２に対して凸の形状に突出している。また、ミッドソール２は、踵支持部２０に対して凹の形状に窪んでいる。靴１の踵近傍は、これら踵支持部２０及びミッドソール２が組み合って構成されている。
踵支持部２０は、踵支持部上面部２０ｃは、踵支持部前端部２０ａから踵支持部後端部２０ｂの方向だけでなく、幅方向にもミッドソール２に対しても突出して形成されている。そのため、着用者は、踵支持部上面部２０ｃとミッドソール踵部６ｃとの中央領域において、より弾力性を体感することができる。
また、ミッドソール２と踵支持部２０とは、周縁部８ｄと周縁部２０ｅとが接触して組み合っている。そのため、ミッドソール２と踵支持部２０とは、着用者から様々な方向からの圧力が加えられても、周縁部８ｄと周縁部２０ｅとが互いに組み合っているため、分離しにくい構造となっている。
【００３７】
以上説明したように、本実施形態に係る靴１よれば、着用者の歩行時において、踵支持部２０による踵近傍の沈み込み、爪先支持部１０による爪先近傍の沈み込み、及び、ミッドソール２による土踏まずの支点機能により、着用者の足の形状を補助することができる。
また、靴１は、踵支持部上面部２０ｃがミッドソール２に対して凸状に突出しており、踵支持部前端部２０ａから踵支持部後端部２０ｂの方向だけでなく、幅方向にもミッドソール２に対しても突出して形成される。そのため、靴１は、平坦状に比べて、踵近傍のクッション性をさらに増加させることができる。
【００３８】
また、靴１は、突出する踵支持部上面部２０ｃの周りに周縁部２０ｅを設けた踵支持部２０と、これもよりも硬いミッドソール２と組合わせることにより、踵中央部における硬度が踵周縁部よりも低くなる。これにより、踵中央部では十分な弾力性を確保しつつ、踵周縁部に安定性を持たせることができ、耐久性の向上と歩行安定性の確保が期待できる。
また、靴１は、中敷き４０の踵近傍の厚みの異なるものに適宜に変更することにより、踵支持部２０の弾力性を調節することができるため、歩行時に、足にかかる負荷を任意に変更することできる。
以上、本発明に係る実施形態について説明したが、これらに限定されるものではなく、発明の趣旨を逸脱しない範囲内において、種々の変更、追加等が可能である。
【符号の説明】
【００３９】
１        靴
２        ミッドソール
４ａ      ミッドソール前端部
４ｂ      ミッドソール後端部
６        ミッドソール上端面部
６ａ      ミッドソール爪先部
６ｂ      ミッドソール土踏まず部
６ｃ      ミッドソール踵部
８        ミッドソール下端面部
８ａ      ミッドソール爪先部
８ｂ      ミッドソール土踏まず部
８ｃ      ミッドソール踵部
８ｄ      周縁部
１０      爪先支持部
１０ａ    爪先支持部前端部
１０ｂ    爪先支持部後端部
１０ｃ    爪先支持部上面部
１０ｄ    爪先支持部下面部
２０      踵支持部
２０ａ    踵支持部前端部
２０ｂ    踵支持部後端部
２０ｃ    踵支持部上面部
２０ｄ    踵支持部下面部
２０ｅ    周縁部
３０      アウトソール
４０      中敷き
４０ａ    中敷き
４０ｂ    中敷き
【図１】
2016097171.tif 000003
【図２】
2016097171.tif 000004
【図３】
2016097171.tif 000005
【図４】
2016097171.tif 000006
【図５】
2016097171.tif 000007
【図６】
2016097171.tif 000008